(57)【要約】【課題】  装置外観に影響を与えることなく、転倒防止効果の高いスピーカー装置を提供し、且つ、製造容易化と製造コストの低減とがもたらされるスピーカー装置を提供する。【解決手段】  キャビネットと、該キャビネットの底面を支持する支持脚を備えたスピーカー装置であって、該キャビネットが、該キャビネットの最下端より垂直上方向へ所定の高さに位置する底板と、該空間に該スピーカー装置の重心を下方へ偏移する錘とを備え、該支持脚は、脚部と嵌合部とを備え、該嵌合部は、隣接する二枚の該キャビネット側板が規定する角に嵌合して、該支持脚の取付位置が決定され、該支持脚は、該脚部底面より締結部材を介して、該キャビネット底板と固着する。【選択図】  図１
2009077314.tif 000002
【特許請求の範囲】
【請求項１】
キャビネットと、該キャビネットの底面を支持する支持脚を備えたスピーカー装置であって、
該キャビネットが、該キャビネットの最下端より垂直上方向へ所定の高さに位置して、該キャビネット側板と共に凹状に囲む空間を床面側に規定する底板と、
該空間に該スピーカー装置の重心を下方へ偏移する錘とを備え、
該支持脚は、脚部と嵌合部とを備え、該嵌合部は、隣接する二枚の該キャビネット側板が規定する角に嵌合して、該支持脚の取付位置が決定され、該支持脚は、該脚部底面より締結部材を介して、該キャビネット底板と固着される、
スピーカー装置。
【請求項２】
前記支持脚は、前記キャビネットの部材密度に比して、高い密度を有する材料からなり、前記嵌合部と前記錘とが一体となっている、請求項１に記載のスピーカー装置。
【請求項３】
前記締結部材は、支持脚の底面からキャビネット底板へ貫通する、螺子である請求項１または２に記載のスピーカー装置。
【請求項４】
前記螺子は、前記支持脚と前記嵌合部とを貫通する一の孔を貫通して、前記支持脚と前記キャビネットとを固着する請求項３に記載のスピーカー装置。
【発明の詳細な説明】
【技術分野】
【０００１】
本発明は、スピーカー装置のキャビネット底面に取り付ける支持脚およびその取付部位周辺の構造に関するものである。
【背景技術】
【０００２】
従来、いわゆるトールボーイ型のスピーカー支持脚は、スピーカーキャビネットの底面積よりも大きな底面積を有する台座に、スピーカー装置を載置して、床面との接地面積を増大させると共に、スピーカー装置傾倒時の支点を、可能な限り装置外方へ設けることによって、転倒を防止するものが多く見られていた。
【０００３】
もしくは、装置全体の重心位置が下方へ偏移するように、スピーカーキャビネット内部に錘を載置して、転倒防止効果を高めるものがあった。
【非特許文献１】「Ｈｏｍｅ  Ｔｈｅａｔｅｒ  ＆  Ｐｕｒｅ  Ａｕｄｉｏ  ＣＯＭＰＯＮＥＮＴＳカタログ」オンキヨー株式会社  ２００７年  ｐ．１８，ｐ．２１
【発明の開示】
【発明が解決しようとする課題】
【０００４】
しかしながら、上記したような従来技術であっては、スピーカー装置の台座を大型化するのにも限界があること、並びに、スピーカーキャビネットの組立時において、該キャビネット内部に錘部材を配設するという、余分な製造工数が生ずるといった問題点を有している。本発明の目的は、製造容易化と、製造コストの低減を提供すると共に、スピーカー装置の支持脚は、装置外観に影響を与える部分の形状を保って、装置全体としての印象を大きく変えることなく転倒防止効果の高いスピーカー装置を提供することにある。
【課題を解決するための手段】
【０００５】
上記目的を達成するために、本発明のスピーカー装置は、キャビネットと、該キャビネットの底面を支持する支持脚を備えたスピーカー装置であって、該キャビネットが、該キャビネットの最下端より垂直上方向へ所定の高さに位置して、該キャビネット側板と共に凹状に囲む空間を床面側に規定する底板と、該空間に該スピーカー装置の重心を下方へ偏移する錘とを備え、該支持脚は、脚部と嵌合部とを備え、該支持脚嵌合部が、隣接する二枚の該キャビネット側板が規定する角に嵌合して該支持脚の取付位置が決定され、該支持脚は、該脚部底面より締結部材を介して、該キャビネット底板と固着する。
【０００６】
また好ましくは、本発明のスピーカー装置は、支持脚が、キャビネット部材の密度に比して、高い密度を有する材料からなり、支持脚嵌合部と、錘とが一体となっている。
【０００７】
また好ましくは、本発明のスピーカー装置は、支持脚が支持脚の脚部と嵌合部を貫通する締結部材を通す孔を有し、締結部材が該孔を貫通して支持脚とキャビネットを固着する、螺子である。
【０００８】
また好ましくは、本発明のスピーカー装置は、螺子が、支持脚と嵌合部とを貫通する一の孔を貫通して、支持脚とキャビネットとを固着する。
【０００９】
以下、本発明の作用について説明する。
【００１０】
本発明のスピーカー装置は、キャビネット底板を、側板の最下端よりも上方に位置させ、底上げすることで、床面とキャビネット底面との間に空間を備える。従来キャビネット内部に配設していた錘を、該空間に配設することが出来るようになり、質量の分布を装置の下方へ偏移することが出来る。すなわち、スピーカー装置の重心がより下方へと偏移する。
【００１１】
本発明のスピーカー装置は、キャビネット内部に錘を配設する必要がない。つまり、キャビネット底板のキャビネット内部側に、予め錘を固着して組み立てる必要がない。故に、本発明のスピーカー装置は、組立時に、キャビネット底板に錘を固着する工程を省いて製造できる。
【００１２】
本発明のスピーカー装置は、キャビネット底板を底上げして生じる空間内に錘を配設出来るので、支持脚と錘を一体とすることができる。支持脚の材料として、キャビネット部材よりも密度が大きい材料を選択することにより、スピーカー装置の重心を下方へ偏移することができる。
【００１３】
本発明のスピーカー装置は、支持脚が、支持脚底面からキャビネット底板へ貫通する孔を有し、その孔を貫通する締結部材が、支持脚とキャビネットとを固着する。支持脚とキャビネットとは、螺子により固着される。
【００１４】
本発明のスピーカー装置は、支持脚嵌合部を、底上げして出来た空間内で、二枚の隣接するキャビネット側板が規定する角へ嵌合させて取り付けることが出来る。支持脚は、嵌合することにより、水平方向への回転が抑制されるので、取り付け位置が一意的に決定され、支持脚底面から、嵌合部を垂直方向に貫通する一の孔を貫通して、1箇所の螺子止めにより、キャビネットと固着することが出来る。
【発明の効果】
【００１５】
本発明のスピーカー装置は、スピーカー装置を支持する支持脚乃至台座、もしくは該スピーカー装置の底面積を大きくすることなく、転倒防止効果を高めることが出来て、スピーカーキャビネットの組立時において、キャビネット内部に錘を固着する工程を必要とせず、容易な製造方法により製造可能となる。また、キャビネット底板を底上げして、二枚の側板が規定する角に支持脚を嵌合させて取り付けることによって、支持脚の固着が、キャビネットの内側角１つに対して、１箇所のみで済むため、低コスト化が達成できる。
【発明を実施するための最良の形態】
【００１６】
本発明のスピーカー装置は、スピーカー装置を支持する支持脚乃至台座、もしくは該スピーカー装置の底面積を大きくせずとも、また、スピーカーキャビネットの組立時において、内部に錘を固着する工程を要さずとも、該スピーカー装置の転倒防止効果を高めるという目的を、キャビネットが、該キャビネットの最下端より垂直上方向へ所定の高さに位置して、該キャビネット側板と共に凹状に囲む空間を床面側に規定する底板と、該空間に該スピーカー装置の重心を下方へ偏移する錘とを備え、該支持脚は、脚部と嵌合部とを備え、該支持脚嵌合部は、隣接する二枚の該キャビネット側板が規定する角に嵌合して、該支持脚の取付位置が決定され、該支持脚は、該脚部底面より締結部材を介して、該キャビネット底板と固着されることによって、達成した。
【００１７】
以下、本発明の好ましい実施形態によるスピーカー装置について説明するが、本発明はこれらの実施形態には限定されない。
【実施例１】
【００１８】
図１は、本発明の好ましい実施形態によるスピーカー装置１ａを説明する概略構成図である。なお以下の図において、説明に不要な一部の内部構造は省略している。
【００１９】
図１（ａ）は、本実施例のスピーカー装置１ａを説明する概略構成図であり、キャビネット左側面側から、キャビネット左側板を透明視した図である。本実施例のスピーカー装置１ａは、縦長の直方体形状のキャビネット２と、キャビネット２に連結したスピーカーユニット３と、キャビネット底面を支持する支持脚４とから構成される。キャビネットを構成するキャビネット部材は、ＭＤＦ（：Ｍｅｄｉｕｍ  Ｄｅｎｓｉｔｙ  Ｂｏａｒｄ）またはパーチクルボードなどの材料から構成されるのが好ましく、本実施例では、キャビネット天板２ａとキャビネット底板２ｂがＭＤＦからなり、キャビネット側板２ｃはパーチクルボードからなる。なお、キャビネット側板２ｃのうち、フロントバッフル２ｆにスピーカーユニット３が取り付けられている。ＭＤＦの密度は、３５０〜８００ｋｇ／ｍ３であり、パーチクルボードの密度は、４００〜９００ｋｇ／ｍ３である。また、支持脚部材は、アルミダイカスト、亜鉛ダイカストなどの材料から構成されるのが好ましく、本実施例の支持脚４は、アルミダイカストからなる。アルミダイカストの密度は、２７００ｋｇ／ｍ３であり、支持脚部材の密度は、キャビネット部材に比べて十分に大きくなっている。
【００２０】
本実施例のキャビネット２の外寸は、高さ１０００ｍｍ、幅１７０ｍｍ、奥行２１０ｍｍである。本実施例のキャビネット２のキャビネット部材の厚みは、１０ｍｍ〜１５ｍｍが好ましく、本実施例において、キャビネット底板２ｂは１５ｍｍであり、キャビネット天板２ａとキャビネット側板２ｃは１２ｍｍである。また、スピーカーユニット３を連結した本実施例のキャビネット２の重量は、８ｋｇである。また、これらキャビネットの寸法および重量はこの数値に限らなくともよい。
【００２１】
図１（ｂ）は、本実施例の支持脚４を説明する正面斜視図である。本実施例の支持脚４は、嵌合部４ａと脚部４ｂとから構成される。図１（ｂ）に示すように、嵌合部４ａは、脚部４ｂの平面部、且つ支持脚内方側に、脚部４ｂと材質を同じくして、一体に形成されている。嵌合部４ａは五角形状に構成され、内角が９０度である角４ｄが、支持脚が外方側へ延伸する方向へ向いている。また、支持脚４には底面から脚部と嵌合部を貫通する、締結部材を通す孔４ｃを有する。
【００２２】
図１（ｃ）は、本実施例の空間６を説明するキャビネット２の断面図である。本実施例のキャビネット底板２ｂは、キャビネット側板２ｃの最下端より１０ｍｍ底上げされて構成される。これにより、キャビネット底面２ｄと接地面５との間に空間６が設けられると共に、該空間６には、２枚の隣接するキャビネット側板２ｃが規定する、後述する角７が現れる。なお、キャビネット底板２ｂを底上げする高さは１０ｍｍに限らなくとも良い。
【００２３】
図２は、支持脚４とキャビネット２との固着方法を説明する図であり、スピーカー装置１ａの底面図及び側面斜視図である。なお側面斜視図において、キャビネット側板２ｃは透明視している。嵌合部４ａの角４ｄは、キャビネット底板２ｂが底上げされて規定される空間６において、隣接する二枚のキャビネット側板が規定する角部７に嵌合することにより、キャビネット側板２ｃに対して４５度の方向へ張り出すように取付位置が決定される。支持脚４は、角部７と嵌合することで、水平方向への回転が抑制されるため、支持脚底面から垂直方向に嵌合部を貫通する孔４ｃを介して、孔を貫通する螺子８一本により、キャビネットと固着する。螺子８は、キャビネット底板２ｂに埋め込まれたナット９と咬合して、支持脚４とキャビネット２を締結する。本実施例において、ナット９はオニメナットである。本実施例では、四本の支持脚４を、キャビネット底面の四隅の角に対して固着している。つまり、キャビネット２の底面において、キャビネット底面の４つの角部７のそれぞれと、支持脚とキャビネットとを固着する締結部材とが一対一の関係で固着する。本実施例において、固着方法は螺子留めであり、ナットに、オニメナットを用いているが、その他の固着方法により取り付けられていてもよい。
【００２４】
以上、本実施例におけるスピーカー装置は、支持脚４が、脚部４ｂのみでなく嵌合部４ａを一体として構成するので、支持脚の容積を大きくすることが出来る。つまり、支持脚の材料として、キャビネット部材よりも密度の大きい材料を選択し、支持脚の重量を大きくして、錘として機能させることで、スピーカー装置の質量分布を下方へ偏移することが容易となる。したがって、キャビネット内部に錘を配置せずとも、スピーカー装置の転倒防止効果を高めることが出来る。また、支持脚４は、水平方向への回転を抑制するように嵌合するので、取付位置が決定され、支持脚４とキャビネット２とが、キャビネット底面の１つの角に対して一の締結部材で固着する。したがって、締結部材のコストを抑えることが出来る。
【実施例２】
【００２５】
図３は、本発明の他の好ましい実施形態によるスピーカー装置１ｂを説明する構成概略図である。図４は、本実施例のスピーカー装置１ｂの支持脚の固着方法を説明する概略正面斜視図であり、キャビネット２の断面図である。なお、実施例１のスピーカー装置１ａに共通する項目については、共通の番号を付している。
【００２６】
本実施例のスピーカー装置１ｂは、キャビネット２と、キャビネット２に連結するスピーカーユニット３と、キャビネット底面を支持する支持脚１０とを備え、キャビネット２は、キャビネット底板２ｂが、キャビネット側板２ｃの最下端から１０ｍｍ底上げされ、キャビネット底板２ｂの下側には、キャビネット側板２ｃの最下端までの高さを持つ空間６が設けられる点において、実施例１と共通しており、構成態様を同じくする部分については、説明を省略する。
【００２７】
本実施例の支持脚１０は、図３および図４に示す通り、台座型であって、キャビネット底板下の空間６とほぼ同容積となる直方体形状の嵌合部１０ａを有しており、嵌合部１０ａと脚部１０ｂとが一体となって形成されている。支持脚１０の支持脚部材は、実施例１における支持脚４と同様に、アルミダイカスト、亜鉛ダイカストなどの材料から構成されるのが好ましく、本実施例の支持脚１０は、アルミダイカストからなる。本実施例において、嵌合部１０ａの寸法は、キャビネット底板下の空間６の内寸と等しくなるのが好ましい。また、嵌合部１０ａの高さは、空間６の高さより高くなっていてもよい。つまり嵌合部１０ａの容積は、空間６の容積より大きくなっていてもよい。また、支持脚１０には、支持脚底面から嵌合部平面へかけて貫通する、締結部材を通す孔１０ｃを有する。
【００２８】
本実施例の支持脚嵌合部１０ａは、キャビネット底板下の空間６を埋めるように、二枚の隣接するキャビネット側板が規定する角７の四箇所と嵌合するので、支持脚１０の水平方向への回転は抑制される。これにより、支持脚１０とキャビネット２とが、少なくとも二箇所の螺子留めにより固着することが可能であり、実施例１に比して更に締結部材のコストを抑えることが出来る。本実施例の締結部材は、実施例１と同じく螺子８であり、キャビネット底板は、ナット９（図示しない）を備え、支持脚１０はキャビネット２と固着する。また、本実施例においても、固着方法は螺子留めであり、ナット９は、オニメナットが好ましいが、これらの締結部材に限らなくともよい。
【００２９】
本実施例の嵌合部１０ａは、キャビネット底板下の空間６を最大限利用する形態である。つまり、本実施例のスピーカー装置１ｂは、実施例１に比して、材料を同条件とすると、スピーカー装置の重心をより下方へ偏移する点において有利となる形態である。
【実施例３】
【００３０】
図５は、本発明の他の好ましい実施形態によるスピーカー装置１ｃを説明する構成概略図である。なお、実施例１および２のスピーカー装置１ａ、１ｂに共通する項目については、共通の番号を付している。
【００３１】
本実施例のスピーカー装置１ｃは、キャビネット２と、キャビネット２に連結するスピーカーユニット３と、キャビネット底面を支持する支持脚１１とを備え、キャビネット２は、キャビネット底板２ｂが底上げされ、キャビネット底板２ｂの下側には、キャビネット側板２ｃの最下端までの高さを持つ空間６が設けられている点において、実施例１および実施例２と共通しており、構成態様を同じくする部分については、説明を省略する。
【００３２】
本実施例のスピーカー装置１ｃは、キャビネット底板２ｃの下側に、錘１２を備える。錘１２は、アルミダイカスト、亜鉛ダイカスト、鉄などの材料から構成されるのが好ましく、本実施例の錘１２は鉄からなる。鉄の密度は、７８６０ｋｇ／ｍ３である。錘１２の寸法は、幅、奥行が、キャビネット底板下の空間６の内寸と、ほぼ同寸であるのが好ましく、錘１２の厚みは、空間６の高さよりも、やや薄くなるのが好ましい。本実施例における錘１２の厚みは７ｍｍである。また、錘１２は底面から平面にかけて締結部材が貫通する為の孔１２ｃを有する。
【００３３】
図６は、本実施例における支持脚１１と、錘１２と、キャビネット２との固着方法を説明する側面斜視図である。なお、実施例１および２のスピーカー装置１に共通する項目については、共通の番号を付している。
【００３４】
本実施例の支持脚１１は、実施例１とほぼ同じ形状を有し、嵌合部１１ａと脚部１１ｂとを備える。さらに、支持脚１１には、底面から嵌合部を貫通する締結部材が貫通する為の孔１１ｃを有する。支持脚１１の嵌合部１１ａは、実施例１の支持脚嵌合部４ａに比して、高さが低くなっている。本実施例における嵌合部１１ａの高さは、３ｍｍである。本実施例の錘１２は、キャビネット底板２ｂと、支持脚１１とが挟持する。つまり、錘１２は、キャビネット底板２ｂが底上げされた空間内に配設されることで、スピーカー装置使用時において、使用者の目に触れることがない。よって、錘１２の外観は、スピーカー装置の外観に影響を与えないことから、実施例１および実施例２に比して、錘材料を自由に選択することが出来る。したがって、装置１ｃは、キャビネット内部に錘を配設することなく、安価な錘材料を用いて、低コスト化と高い転倒防止効果を同時に満足する点において有利となる形態である。
【００３５】
図７は、従来のスピーカー装置１ｄを比較例として説明する構成概略図である。なお、実施例１、２および３のスピーカー装置１ａ、１ｂ、１ｃに共通する項目については、共通の番号を付している。
【００３６】
比較例のスピーカー装置１ｄは、キャビネット２と、キャビネット２に連結したスピーカーユニット３と、キャビネット底面を支持する支持脚１３と、キャビネット底板内部に配設された錘１４とから構成される。本比較例のキャビネット部材は、実施例１、２および３と同じである。本比較例のキャビネット底板２ｂは、図７に示す通り、底上げされていないので、キャビネット側板の最下端に位置している。本比較例の支持脚１３の支持脚部材は、アルミダイカストからなる。支持脚１３は、脚部のみから構成され、嵌合部を備えない。また、支持脚１３は、支持脚１３とキャビネット２とを固着する締結部材が貫通する孔１３ｃを二つ有する。本比較例の錘１４は鉄からなる。
【００３７】
本発明の実施例１と比較例を比較する。
【００３８】
比較例のスピーカー装置１ｄは、キャビネット内部に錘を配設しなければならないので、キャビネット２の組立時において、キャビネット底板２ｂに錘を固着する工程を一段階要する。一方で、実施例１のスピーカー装置１ａは、キャビネット内部に錘を必要としないので、キャビネット底板２ｂに錘を固着する工程が不要である。そして、実施例のスピーカー装置１は、スピーカー装置の使用者が、設置時に支持脚の取り付けを完了した時点で、装置に錘を配設したのと同様の効果を得ることが出来る。さらに、実施例１のスピーカー装置１ａは、比較例のスピーカー装置１ｄと比べて、キャビネット底板２ｂの厚み分だけ、装置のより下方へ、支持脚４の錘として機能する部分を配設出来るので、重心を装置下方へ偏移する効果が高く、転倒防止効果が高い。図１ａと図７に示す通り、実施例１のスピーカー装置１ａと、比較例のスピーカー装置１ｄとは、装置全体として、外観は同じである。比較例のスピーカー装置１ｄは、さらに重心をより下方へ偏移するためには、支持脚１３を幅広にしたり、厚みをもたせたり、重量を大きくすること等が必要であり、装置の外観を保つことが出来ず、外観設計の自由度が低い。本発明によれば、支持脚は、外観に現れる部分の所望の形状を、犠牲にすることなく設計が可能であって、重心をより下方へ偏移することが可能となる。
【００３９】
さらに、図７に示した通り、比較例のスピーカー装置１ｄは、支持脚１３を４本備える。支持脚１３は、脚部１３ｂのみから構成され、嵌合部を備えないので、２箇所の螺子止めによって、それぞれの支持脚１３とキャビネット底板２ｂとが固着する。一方で、図２において、実施例１のスピーカー装置１ａは、比較例と同じく、４本の支持脚を備えるが、支持脚４は、嵌合部４ａを備えるので、嵌合部４ａが、キャビネット底板２ｂを底上げして現れた、隣接する２枚のキャビネット側板２ｃが規定する角部７に嵌合して、支持脚４の水平方向の回転が抑制され、１箇所の螺子止めによりキャビネット底板２ｂと固着する。よって、実施例１は、支持脚とキャビネットとを締結する締結部材のコストを削減して製造出来る。
【００４０】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【００４１】
本発明は、トールボーイと呼ばれる縦長型スピーカー装置のみならず、洋服ダンスや、食器棚のような家具にも適用が可能である。
【図面の簡単な説明】
【００４２】
【図１】本発明の好ましい実施形態におけるスピーカー装置１ａを示す概略構成図と、支持脚４を説明する正面斜視図、および、キャビネット底板２ｂとキャビネット側板２ｃの最下端とが規定する空間６を説明するキャビネット２の断面図である。（実施例１）
【図２】本発明の好ましい実施形態におけるスピーカー装置１ａを示す底面図および側面斜視図である。（実施例１）
【図３】本発明の他の好ましい実施形態におけるスピーカー装置１ｂを示す構成概略図である。（実施例２）
【図４】本発明の他の好ましい実施形態におけるスピーカー装置１ｂの支持脚１５の固着方法を示す正面斜視図である。（実施例２）
【図５】本発明の他の好ましい実施形態におけるスピーカー装置１ｃを示す構成概略図である。（実施例３）
【図６】本発明の他の好ましい実施形態におけるスピーカー装置１ｃの支持脚１１と、錘１２と、キャビネット２との固着方法を示す側面斜視図である。（実施例３）
【図７】従来の実施形態のスピーカー装置１ｄを示す概略構成図である。
【符号の説明】
【００４３】
１ａ、１ｂ、１ｃ、１ｄ  スピーカー装置
２  スピーカーキャビネット
２ａ  キャビネット天板
２ｂ  キャビネット底板
２ｃ  キャビネット側板
３  スピーカーユニット
４、１０、１１、１３  支持脚
４ａ、１０ａ、１１ａ  嵌合部
４ｂ、１０ｂ、１１ｂ、１３ｂ  脚部
４ｃ、１０ｃ、１１ｃ、１３ｃ  孔
５  接地面
６  空間
７  角部
８  螺子
９  ナット
１２、１４  錘  
【図１】
2009077314.tif 000003
【図２】
2009077314.tif 000004
【図３】
2009077314.tif 000005
【図４】
2009077314.tif 000006
【図５】
2009077314.tif 000007
【図６】
2009077314.tif 000008
【図７】
2009077314.tif 000009